(57)【要約】【課題】意匠的な美観を呈して、人目に付き易い場所に設置することができ、省エネルギーの意識を維持することに貢献することができる表示装置を提供する。【解決手段】建物１内の監視対象としての電力消費量、蓄電量、ガス消費量、ガス残量、水使用量、貯水残量、温度及び湿度の状況を表示可能な表示装置２であって、建物１内の区画１１Ａ〜１７Ａ毎に、監視対象の状況を、ケーシング２１Ａ〜２７Ａ内の発光ダイオードの色及び光量により表示可能とされた構成とされている。【選択図】図３
2010107816.tif 000002
【特許請求の範囲】
【請求項１】
建物内のエネルギー消費量、残量及び内部状態の少なくとも１つを監視対象として、その状況を表示可能な表示装置であって、
少なくとも前記建物内の間取りに区切りが設けられて区画表示可能とされ、前記区画毎に、前記監視対象の状況を、色及び光量の少なくとも一方により表示可能とされていることを特徴とする表示装置。
【請求項２】
前記監視対象は、少なくとも、電力消費量、蓄電量、ガス消費量、ガス残量、水使用量、貯水残量、温度、湿度のいずれかの内の複数を含んでおり、
前記複数の監視対象の表示の切り換えが可能であることを特徴とする請求項１に記載の表示装置。
【請求項３】
前記監視対象が異なる毎に、異なる色で表示可能とされ、光量によって監視注目度の違いが表示可能とされていることを特徴とする請求項２に記載の表示装置。
【請求項４】
複数色の発光ダイオードが組み込まれており、前記色及び前記光量が再現可能とされていることを特徴とする請求項１乃至３のいずれか１項に記載の表示装置。
【請求項５】
前記建物に設けた発信器からの前記監視対象の状況の信号を受信可能な受信器が設けられており、移動可能とされていることを特徴とする請求項１乃至４のいずれか１項に記載の表示装置。
【発明の詳細な説明】
【技術分野】
【０００１】
本発明は、建物内のエネルギー消費量、残量、内部状態などの監視対象の状況を表示可能な表示装置に関するものである。
【背景技術】
【０００２】
近年、国家・自治体レベルや企業レベルにとどまらず、家庭レベルにおいても省エネルギーの意識が高まりつつある。
【０００３】
こうしたことから、監視対象としての電気、ガス、水などのエネルギー消費量や残量を表示可能な表示装置が従来から提案されている（特許文献１などを参照）。
【特許文献１】特開２００４−１７０３１０号公報
【発明の開示】
【発明が解決しようとする課題】
【０００４】
しかしながら、上記した特許文献１のような従来技術では、監視対象を、単にモニター上にグラフなどで表示するだけのものであった。
【０００５】
よって、余程まめな人でなければ、こうした意匠的な美観を呈しないものへ目を向ける機会が少なくなるおそれが少なからずあった。
【０００６】
また、こうした意匠的な美観を呈しないものは、通常、人目に付き難い場所に設置するため、ますます目を向ける機会が少なくなるおそれがあった。
【０００７】
さらに、いやがおうなしにも、省エネルギーの意識を維持するには、面倒さを伴うのに、こうした背景では、マイナス面があっても、プラス面があるとは到底言えなかった。
【０００８】
そこで、本発明は、意匠的な美観を呈して、人目に付き易い場所に設置することができ、省エネルギーの意識を維持することに貢献することができる表示装置を提供することを目的としている。
【課題を解決するための手段】
【０００９】
前記目的を達成するために、本発明の表示装置は、建物内のエネルギー消費量、残量及び内部状態の少なくとも１つを監視対象として、その状況を表示可能な表示装置であって、少なくとも前記建物内の間取りに区切りが設けられて区画表示可能とされ、前記区画毎に、前記監視対象の状況を、色及び光量の少なくとも一方により表示可能とされていることを特徴とする。
【００１０】
ここで、前記監視対象は、少なくとも、電力消費量、蓄電量、ガス消費量、ガス残量、水使用量、貯水残量、温度、湿度のいずれかの内の複数を含んでおり、前記複数の監視対象の表示切り換えが可能であるとよい。
【００１１】
また、前記監視対象が異なる毎に、異なる色で表示可能とされ、光量によって監視注目度の違いが表示可能とされているとよい。
【００１２】
さらに、複数色の発光ダイオードが組み込まれており、前記色及び前記光量が再現可能とされているとよい。
【００１３】
また、前記建物に設けた発信器からの前記監視対象の状況の信号を受信可能な受信器が設けられており、移動可能とされているとよい。
【発明の効果】
【００１４】
このような本発明の表示装置は、建物内のエネルギー消費量、残量及び内部状態の少なくとも１つを監視対象として、その状況を表示可能な表示装置であって、少なくとも建物内の間取りに区切りが設けられて区画表示可能とされ、区画毎に、監視対象の状況を、色及び光量の少なくとも一方により表示可能とされた構成である。
【００１５】
こうした構成なので、従来技術とは異なり、意匠的な美観を呈して、人目に付き易い場所に設置することができ、省エネルギーの意識を維持することに貢献することができる。
【００１６】
ここで、監視対象は、少なくとも、電力消費量、蓄電量、ガス消費量、ガス残量、水使用量、貯水残量、温度、湿度のいずれかの内の複数を含んでおり、これら複数の監視対象の表示の切り換えが可能である場合は、１つの表示装置で複数の監視対象を監視できるため、便利である。
【００１７】
また、監視対象が異なる毎に、異なる色で表示可能とされ、光量によって監視注目度の違いが表示可能とされている場合は、監視対象の監視機能を十分に発揮しながらも、見た目には、様々な色のグラデーションをかもしだす意匠的な美観を呈するオブジェにもなる。
【００１８】
さらに、複数色の発光ダイオードが組み込まれており、色及び光量が再現可能とされている場合は、消費電力の少ない発光ダイオードを用いるため、無駄な電力を消費しないで済む。
【００１９】
また、建物に設けた発信器からの監視対象の状況の信号を受信可能な受信器が設けられており、移動可能とされている場合は、監視者が建物の内部の何処に居ても、監視対象を監視可能であり、見た目には、意匠的な美観を呈するオブジェが移動しただけのようにすることができる。
【発明を実施するための最良の形態】
【００２０】
以下、本発明を実現する最良の形態を、図面に示す実施例１，２に基づいて説明する。
【実施例１】
【００２１】
先ず、実施例１について説明する。
【００２２】
図１は、実施例１の表示装置２を備えた建物１の概略構成を示している。
【００２３】
この建物１は、玄関１３を入ると、右側にリビング・ダイニングルーム１１があり、正面にキッチン１２がある。また、左側にトイレと洗顔室とが一体となった化粧室１５があり、その奥に浴室１４がある。さらに、廊下１６を通って左側に寝室１７がある。
【００２４】
この実施例１の表示装置２は、一例として、リビング・ダイニングルーム１１の壁に設けてある。
【００２５】
図３は、実施例１の表示装置２の概略構成を示したものであり、図２に示した建物１の見取り図をもとに構成されている。
【００２６】
この表示装置２は、基本的には、上記した建物１の間取りに区切られており、さらにこの間取りに加え、近傍にエネルギー関連設備などが設けられた部分でも区切られている。
【００２７】
具体的には、リビング・ダイニングルーム１１の部分は、近傍に蓄電池Ｂが設けられている奥側の区画１１Ａと太陽光発電パネルＳが上部に設けられている手前側の区画１１Ｂとに区切られ、ケーシング２１Ａ，２１Ｂにそれぞれ対応している。
【００２８】
また、キッチン１２の部分の区画１２Ａと玄関１３の周辺の区画１３Ａとに区切られ、ケーシング２２Ａ，２３Ａにそれぞれ対応している。
【００２９】
さらに、近傍に非常用のプロパンガスＰが設けられた浴室１４の部分は、区画１４Ａとされ、ケーシング２４Ａに対応している。
【００３０】
また、化粧室１５の部分は、トイレの部分の区画１５Ａと洗顔室の部分の区画１５Ｂとに区切られ、ケーシング２５Ａ，２５Ｂにそれぞれ対応している。
【００３１】
さらに、廊下１６の部分は、化粧室の手前側の部分の区画１６Ａと上部に貯水タンクＴが設けられた寝室１７の手前側の部分の区画１６Ｂとに区切られ、ケーシング２６Ａ，２６Ｂにそれぞれ対応している。
【００３２】
また、寝室１７の部分は、区画１７Ａとされ、ケーシング２７Ａに対応している。
【００３３】
そして、これらのケーシング２１Ａ〜２７Ａ内には、図示を省略した赤色、青色、黄色の発光ダイオードがいずれにも組み込まれており、監視対象としての電力消費量、蓄電量、ガス消費量、ガス残量、水使用量、貯水残量、温度及び湿度の状況を、様々な色及び光量で発光して切り換え表示可能とされている。
【００３４】
勿論、建物１内、蓄電池Ｂ、プロパンガスＰ及び貯水タンクＴには、それぞれの監視対象の状況を把握するための測定センサーがそれぞれ設けられている。
【００３５】
そして、建物１内の図示を省略した中央処理装置に、それらの測定値を有線又は無線で伝えることが可能とされており、その演算処理結果が表示装置２で表示される。
【００３６】
次に、この実施例１の表示装置２の使用例について説明する。
【００３７】
ここで、図示を省略したリモコンの切り換えボタンにより電力消費量の状態を選択すると、建物１の全体に対応するケーシング２１Ａ〜２７Ａが赤色に発光する。
【００３８】
例えば、寝室１７の部分の区画１７Ａに対応するケーシング２７Ａが強く発光している場合は、エアコンディショナーの消し忘れなどの可能性があるので、確認することができる。
【００３９】
また、リモコンの切り換えボタンにより蓄電量の状態を選択すると、リビング・ダイニングルーム１１の部分における近傍に蓄電池Ｂが設けられている奥側の区画１１Ａに対応するケーシング２１Ａのみが黄色に発光する。
【００４０】
例えば、ケーシング２１Ａの全体が強く発光しているときは、蓄電量がフル充電されていることが分かる。
【００４１】
これに対し、ケーシング２１Ａの下部のみが強く発光しているときは、もうすぐ充電された電力がなくなってしまうことが分かる。
【００４２】
さらに、リモコンの切り換えボタンによりガス消費量の状態を選択すると、キッチン１２の部分の区画１２Ａに対応するケーシング２２Ａと浴室１４の部分の区画１４Ａと対応するケーシング２４Ａとが黄色に発光する。
【００４３】
例えば、キッチン１２の部分の区画１２Ａに対応するケーシング２２Ａが強く発光している場合は、ガスの消し忘れなどの可能性があるので、確認することができる。
【００４４】
また、リモコンの切り換えボタンによりガス残量の状態を選択すると、近傍に非常用のプロパンガスＰが設けられた浴室１４の部分の区画１４Ａに対応するケーシング２４Ａのみが赤色に発光する。
【００４５】
例えば、ケーシング２４Ａの全体が強く発光しているときは、プロパンガスＰに漏れがなく満タンであることが分かる。
【００４６】
これに対し、ケーシング２４Ａの上部の発光が弱いときは、ガス漏れしている可能性があるので、確認することができる。
【００４７】
さらに、リモコンの切り換えボタンにより水使用量の状態を選択すると、キッチン１２の部分の区画１２Ａと対応するケーシング２２Ａと、浴室１４の部分の区画１４Ａと対応するケーシング２４Ａと、トイレの部分の区画１５Ａと対応する２５Ａと、洗顔室の部分の区画１５Ｂと対応するケーシング２５Ｂとが青色に発光する。
【００４８】
例えば、洗顔室の部分の区画１５Ｂと対応するケーシング２５Ｂが強く発光している場合は、蛇口の閉め忘れなどの可能性があるので、確認することができる。
【００４９】
また、リモコンの切り換えボタンにより貯水残量の状態を選択すると、廊下１６の部分の上部に貯水タンクＴが設けられた寝室１７の手前側の部分の区画１６Ｂに対応するケーシング２６Ｂのみが青色に発光する。
【００５０】
例えば、ケーシング２６Ｂの全体が強く発光しているときは、貯水タンクＴが満タンであることが分かる。
【００５１】
これに対し、ケーシング２６Ｂの下部のみが強く発光しているときは、もうすぐ貯水された水がなくなってしまうことが分かる。
【００５２】
さらに、リモコンの切り換えボタンにより温度の状態を選択すると、建物１の全体に対応するケーシング２１Ａ〜２７Ａが赤色、青色、黄色を合わせたサーモグラフィのように発光する。
【００５３】
例えば、冬場に、寝室１７の部分の区画１７Ａに対応するケーシング２７Ａが青色に強く発光している場合は、窓の閉め忘れなどで寝室１７内が冷え込んでいる可能性があるので、確認することができる。
【００５４】
また、リモコンの切り換えボタンにより湿度の状態を選択すると、建物１の全体に対応するケーシング２１Ａ〜２７Ａが青色に発光する。
【００５５】
例えば、トイレの部分の区画１５Ａと対応するケーシング２５Ａと、洗顔室の部分の区画１５Ｂと対応するケーシング２５Ｂとが強く発光している場合は、浴室１４のドアの閉め忘れなどの可能性があるので、確認することができる。
【００５６】
なお、監視対象に対応する色や区画の配置などは、これに限定されず、使用者それぞれの好みに合わせて実施してもよい。
【００５７】
次に、実施例１の作用効果について説明する。
【００５８】
このような実施例１の表示装置２は、建物１内の間取り及び近傍にエネルギー設備などが設けられた部分に区切りが設けられて区画表示可能とされ、区画１１Ａ〜１７Ａ毎に、監視対象の状況を、ケーシング２１Ａ〜２７Ａにおける色及び光量により表示可能とされた構成である。
【００５９】
こうした構成なので、従来技術とは異なり、意匠的な美観を呈して、人目に付き易い場所に設置することができ、省エネルギーの意識を維持することに貢献することができる。
【００６０】
ここで、監視対象は、電力消費量、蓄電量、ガス消費量、ガス残量、水使用量、貯水残量、温度、湿度であり、これら複数の監視対象の表示の切り換えが可能であるので、１つの表示装置２で複数の監視対象を監視できるため、便利である。
【００６１】
また、監視対象が異なる毎に、異なる色で表示可能とされ、光量によって監視注目度の違いが表示可能とされているので、監視対象の監視機能を十分に発揮しながらも、見た目には、様々な色のグラデーションをかもしだす意匠的な美観を呈するオブジェにもなる。
【００６２】
また、複数色の発光ダイオードが内部に組み込まれており、色及び光量が再現可能とされているので、消費電力の少ない発光ダイオードを用いるため、無駄な電力を消費しないで済む。
【実施例２】
【００６３】
次に、実施例２について説明する。
【００６４】
なお、上記実施例１で説明した内容と同一乃至均等な部分の説明については同一符号を付して説明する。
【００６５】
この実施例２の表示装置２では、図４に示したように、受信器３が設けられており、図５に示したように、建物１のリビング・ダイニングルーム１１の壁に設けた発信器４からの監視対象の状況の信号を受信可能である。
【００６６】
すなわち、この表示装置２は、建物１内の様々な箇所に移動可能とされている。
【００６７】
このため、監視者が建物１の内部の何処に居ても、監視対象を監視可能であり、見た目には、意匠的な美観を呈するオブジェが移動しただけのようにすることができる。
【００６８】
例えば、図５に示したように、この表示装置２を、寝室１７に持っていけば、監視対象の状況を全て確認してから安心して就寝することができる。
【００６９】
これらのことが、上記実施例１と主に異なる。
【００７０】
なお、他の構成及び作用効果については、上記実施例１と略同様であるので説明を省略する。
【００７１】
以上、図面を参照して、本発明の最良の実施の形態について実施例１，２をもとに詳述してきたが、具体的な構成は、上記した実施例１，２に限らず、本発明の要旨を逸脱しない程度の設計的変更は、本発明に含まれる。
【００７２】
例えば、上記実施例１，２では、建物１を、説明が簡単なように、単純な平屋の構造としたが、これに限定されず、より複雑な構造として実施してもよい。
【００７３】
また、上記実施例１，２では、表示装置２のケーシング２１Ａ〜２７Ａの形状を単純な直方体として実施したが、これに限定されず、様々な形状で実施してもよい。
【図面の簡単な説明】
【００７４】
【図１】実施例１の建物内の概略構成を示す平断面図である。
【図２】実施例１の建物内の区画を示す説明図である。
【図３】実施例１の表示装置の概略構成を示す斜視図である。
【図４】実施例２の表示装置の概略構成を示す斜視図である。
【図５】実施例２の建物内の概略構成を示す平断面図である。
【符号の説明】
【００７５】
１      建物
１１Ａ〜１７Ａ      区画
２      表示装置
３      受信器
４      発信器
【図１】
2010107816.tif 000003
【図２】
2010107816.tif 000004
【図３】
2010107816.tif 000005
【図４】
2010107816.tif 000006
【図５】
2010107816.tif 000007